(57)【要約】      （修正有）【課題】自衛消防活動の支援情報を提供するための画面において、平時と有事を容易に判別可能な防災支援システムを提供する。【解決手段】本部端末は、自衛消防活動の支援情報を提供するための画面を構成する、平時と有事とで色が変更される帯状の画像を表示させる。画像は、防災支援システムのステータスＢ２１を通知するための領域又はメニューバーＦの画像である。メニューバーは、帯状かつ矩形の形状を有し、このトップ画面において画面左端から右端にかけて水平方向に延びるように配置される。【選択図】図５
2020119141.tif 000002
【特許請求の範囲】
【請求項１】
自衛消防活動の支援情報を提供するための画面を構成する帯状の画像であって、平時と有事とで色が変更される画像を表示させる表示制御部を備える防災支援システム。
【請求項２】
前記画像は、前記防災支援システムのステータスを通知するための領域又はメニューバーの画像であることを特徴とする請求項１に記載の防災支援システム。
【発明の詳細な説明】
【技術分野】
【０００１】
本発明は、自衛消防活動を支援するための情報を提供するシステムに関する。
【背景技術】
【０００２】
従来、火災や地震等の災害発生時に初期対応を行うために編成される組織として、自衛消防隊が知られている。特許文献１には、火災の発生を契機として自衛消防隊を編成し、各隊員の携帯端末に対して役割と作業内容を通知するための防災支援システムが記載されている。
【先行技術文献】
【特許文献】
【０００３】
【特許文献１】特開２０１５−１０８９２３号公報
【発明の概要】
【発明が解決しようとする課題】
【０００４】
しかし、従来の防災支援システムで使用される携帯端末は、専ら有事において防災情報を提供することを目的としており、平時において防災情報を提供することは想定されていない。そのため、携帯端末の利用者に対して、現在が平時であるのかそれとも有事であるのかを分かりやすく通知するという工夫がなされていなかった。
【０００５】
本発明は、このような事情に鑑みてなされたものであり、自衛消防活動の支援情報を提供するための画面において、平時と有事を容易に判別可能にすることを目的とする。
【課題を解決するための手段】
【０００６】
上記の課題を解決するため、本発明に係る防災支援システムは、自衛消防活動の支援情報を提供するための画面を構成する帯状の画像であって、平時と有事とで色が変更される画像を表示させる表示制御部を備える。
【０００７】
好ましい態様において、前記画像は、前記防災支援システムのステータスを通知するための領域又はメニューバーの画像である。
【発明の効果】
【０００８】
本発明に係る防災支援システムによれば、自衛消防活動の支援情報を提供するための画面において、平時と有事を容易に判別可能にすることができる。
【図面の簡単な説明】
【０００９】
【図１】防災システム１の構成の一例を示すブロック図
【図２】支援サーバ６の構成の一例を示すブロック図
【図３】平時のトップ画面の一例を示す図
【図４】点検時のトップ画面の一例を示す図
【図５】有事（注意）のトップ画面の一例を示す図
【図６】携帯端末７の構成の一例を示すブロック図
【図７】平時の活動情報画面の一例を示す図
【図８】有事（注意）の活動情報画面の一例を示す図
【図９】有事（感知器発報）の活動情報画面の一例を示す図
【図１０】本部端末８の構成の一例を示すブロック図
【図１１】防災システム１の動作の一例を示すシーケンス図
【発明を実施するための形態】
【００１０】
１．実施形態
１−１．構成
本発明の一実施形態に係る防災システム１について図面を参照して説明する。図１は、この防災システム１の構成の一例を示すブロック図である。同図に示すように、防災システム１は、自動火災報知設備２と防災支援システム３を備える。
【００１１】
自動火災報知設備２は、防火対象物である建物に設置される設備であり、建物の各所に設置される煙感知器４と、建物の防災センタに設置されるＲ型の火災受信機５を備える。煙感知器４は、信号線を介して火災受信機５と接続され、周囲の煙濃度を測定して、測定した煙濃度を示すアナログ値を火災受信機５に送信する。火災受信機５は、ポーリング／セレクティング方式で各煙感知器４と信号の送受信を行い、イベントの発生を検出すると、発生したイベントの内容及び発生場所を通知するイベント信号を防災支援システム３に送信する。
【００１２】
このイベント信号により通知されるイベントには、受信機連動型のイベントと受信機非連動型のイベントが含まれる。受信機連動型のイベントには、注意、感知器発報、火災確定（又は火災発生）が含まれる。これらのイベントのうち、注意は、煙感知器４により測定された煙濃度が３％／ｍを超え、その継続時間（蓄積時間）が５秒を超えると、発生したと判定される。感知器発報は、煙感知器４により測定された煙濃度が１０％／ｍを超え、その継続時間（蓄積時間）が４０秒を超えると、発生したと判定される。火災確定は、感知器発報後、一定時間が経過するか、複数の煙感知器４について感知器発報が発生するか、図示せぬ発信機から発信機信号が受信されるか、又は火災受信機５において火災確定操作が行われると、発生したと判定される。一方、受信機非連動型のイベントには、手動操作が含まれる。この手動操作は、例えば、火災受信機５において所定の操作が行われると、発生したと判定される。この所定の操作の実行タイミングとしては、例えば、地震発生時が想定される。
【００１３】
次に、防災支援システム３は、建物内で活動する自衛消防隊を支援するためのシステムであり、図１に例示するように、支援サーバ６と、建物の在館者により携帯される携帯端末７と、建物の防災センタに設置される本部端末８を備える。本システムを構成する各装置は、インターネットやＬＡＮ等の通信回線９を介して相互に接続される。また、火災受信機５とも接続される。
【００１４】
図２は、支援サーバ６の構成の一例を示すブロック図である。同図に示す支援サーバ６は、ＣＰＵ等のプロセッサ６１と、ＤＲＡＭ等の揮発性メモリ６２と、フラッシュメモリ等の不揮発性メモリ６３と、ネットワークカード６４を備える。これらの構成要素のうち、不揮発性メモリ６３は、在館者による自衛消防活動を支援するための支援情報として、ユーザ情報、自衛消防隊体制情報、タスク情報、タスク割当情報、報告情報、画像情報、フロアマップ情報、マニュアル情報、投稿情報を記憶する。
【００１５】
これらの情報のうち、ユーザ情報は、携帯端末７の利用者の属性情報である。具体的には、各利用者について、ユーザＩＤ、氏名、性別、年齢又は年代、所属部署、役職、顔画像ＩＤ、電話番号、登録用メールアドレス、通知用メールアドレス、参照権限に関する情報を有する。自衛消防隊体制情報は、自衛消防隊の編成表である。具体的には、携帯端末７の各利用者について、ユーザＩＤ、所属隊、班（役割）、担当エリアについての情報を有する。タスク情報は、自衛消防隊により実行される個々のタスクを示す情報である。タスク割当情報は、個々のタスクについてその実行者と実行タイミングと実行順序（タスクフロー）を示す情報である。報告情報は、携帯端末７から支援サーバ６に送信される各種の報告情報である。具体的には、各報告について、報告ＩＤ、送信日時（撮影日時）、報告種別、タスクＩＤ、報告者のユーザＩＤ、メッセージ、報告写真の画像ＩＤ、報告のステータス、報告写真の公開有無についての情報を有する。画像情報は、携帯端末７の利用者の顔画像の情報と、報告写真の画像情報である。フロアマップ情報は、建物に設置される防災設備の配置図の情報である。マニュアル情報は、建物に設置される各種の防災設備のマニュアルである。投稿情報は、後述する掲示板に投稿されるメッセージ情報である。
【００１６】
支援サーバ６は、図２に例示するように、イベント通知部６１１、報告受付部６１２、同期部６１３、画面生成部６１４の各機能を備える。これらの機能は、不揮発性メモリ６３に記憶される防災支援プログラムがプロセッサ６１により実行されることにより実現される。
【００１７】
イベント通知部６１１は、火災受信機５からイベント信号が受信されると、受信されたイベント信号により示されるイベント内容と発生場所を通知するイベント情報を、プッシュ通知として携帯端末７に送信する。また、防災支援システム３の動作モードが訓練モードに変更された場合にも、動作モードの変更を通知するイベント情報を携帯端末７に送信する。動作モードについては後述する。
【００１８】
報告受付部６１２は、携帯端末７から送信される各種の報告を受け付ける。具体的には、タスク報告、ＳＯＳ報告、写真報告を受け付ける。受け付けた報告の情報は、不揮発性メモリ６３に記憶される。
【００１９】
同期部６１３は、携帯端末７に記憶される支援情報を、自機の不揮発性メモリ６３に記憶される支援情報に同期させる。この支援情報の同期は、支援情報の更新を契機として行われ、同期部６１３は、支援情報が更新されると、同期通知を各携帯端末７に送信する。そして、携帯端末７から同期通知に対する応答を受信すると、更新された支援情報を携帯端末７に送信する。ただし、携帯端末７に対する報告写真の同期については、自機に記憶される報告写真のうち、本部端末８の利用者により選択されたものについてのみ行う。
【００２０】
画面生成部６１４は、本部端末８から送信される画面送信要求を受けて、要求された画面を生成して、本部端末８に送信する。図３は、画面生成部６１４により生成されるトップ画面の一例を示す図である。同図に示すトップ画面は、自衛消防活動の支援情報を提供するための画面であり、特に平時に表示される画面である。このトップ画面は、フロアマップ情報と投稿情報に基づいて生成され、タイトルバーＡと、メニューバーＢと、選択リスト表示領域Ｃと、フロアマップ表示領域Ｄと、掲示板表示領域Ｅを有する。
【００２１】
これらの表示要素のうち、メニューバーＢは、自衛消防活動を支援するための機能の一覧である。このメニューバーＢは、帯状かつ矩形の形状を有し、このトップ画面において画面左端から右端にかけて水平方向に延びるように配置される。また、防災支援プログラムの実行中は、平時において、常に同じ位置に白地で表示される。このメニューバーＢは、操作項目Ｂ１１〜Ｂ１５と、ステータス情報Ｂ２１を有する。
【００２２】
操作項目Ｂ１１〜Ｂ１５のうち、操作項目Ｂ１１は、トップ画面の表示を指示するための表示要素である。操作項目Ｂ１２は、各種情報の管理画面の表示を指示するための表示要素である。この操作項目Ｂ１２が操作されると、各種情報の管理画面のサブメニューが表示され、そのサブメニューの中から管理画面が選択されると、選択された管理画面が表示される。サブメニューに含まれる管理画面の中には、自衛消防隊の体制情報を管理する画面、タスク情報を管理する画面、タスク割当情報を管理する画面、マニュアル情報を管理する画面等が含まれる。次に、操作項目Ｂ１３は、各種の手動実施画面の表示を指示するための表示要素である。この操作項目Ｂ１３が選択されると、各種の手動実施画面のサブメニューが表示され、そのサブメニューの中から手動実施画面が選択されると、選択された手動実施画面が表示される。サブメニューに含まれる手動実施画面には、メール送信画面、隊員に対する各種通知（公設消防隊到着通知、誤報通知等）の送信画面等が含まれる。次に、操作項目Ｂ１４は、各種の履歴画面の表示を指示するための表示要素である。この操作項目Ｂ１４が選択されると、各種の履歴画面のサブメニューが表示され、そのサブメニューの中から履歴画面が選択されると、選択された履歴画面が表示される。サブメニューに含まれる履歴画面には、メール送信履歴画面、通知送信履歴画面等が含まれる。次に、操作項目Ｂ１５は、防災支援システム３の動作モードを切り替えるための表示要素である。この操作項目Ｂ１５が選択されると、動作モードのサブメニューが表示され、そのサブメニューの中から動作モードが選択されると、選択された動作モードに設定される。サブメニューに含まれる動作モードには、訓練モード、点検モード等が含まれる。次に、ステータス情報Ｂ２１は、建物において発生中のイベント（具体的には、動作モード名）と、その発生場所を示す情報である。
なお、イベント信号の受信等に応じて、支援サーバ６等が認識する動作モードとして、平時モード、訓練モード、点検モード、有事（注意）モード、有事（感知器発報）モード、有事（火災発生）モード、有事（手動モード）等が含まれる。
【００２３】
次に、選択リスト表示領域Ｃは、フロアマップ表示領域Ｄに表示させるフロアを選択させるための選択リストＣ１１が表示される領域である。
【００２４】
フロアマップ表示領域Ｄは、上記の選択リストＣ１１で選択されたフロアの設備配置図が表示される領域である。このフロアマップ表示領域Ｄは、縮尺変更ボタンＤ１１と、表示／非表示切替ボタンＤ１２と、凡例表示ボタンＤ１３と、設備配置図Ｄ１４を有する。これらの表示要素のうち、縮尺変更ボタンＤ１１は、設備配置図Ｄ１４の縮尺を変更するためのボタンである。表示／非表示切替ボタンＤ１２は、各種の防災設備のアイコンの表示／非表示を切り替えるためのトグルボタンである。凡例表示ボタンＤ１３は、各種の防災設備のアイコンの凡例を表示させるためのボタンである。このフロアマップ表示領域Ｄを参照することで、利用者は建物内の防災設備の配置を確認することができる。
【００２５】
掲示板表示領域Ｅは、支援サーバ６に記憶される投稿情報が掲示される領域である。この掲示板表示領域Ｅは、ページ遷移ボタンＥ１１と、投稿情報編集ボタンＥ１２と、投稿情報リストＥ１３を有する。この掲示板表示領域Ｅを利用することで、利用者は他の隊員と情報交換をすることができる。
以上が、図３に示すトップ画面についての説明である。
【００２６】
図４は、トップ画面の別の例を示す図である。同図に示すトップ画面は、平時ではなく点検時に表示されるトップ画面である。この画面では、図３に示す平時のトップ画面と異なり、メニューバーＢがグレー地で表示され、ステータス情報Ｂ２１として「点検中」の文字が表示されている。そのため利用者は、本画面を一見して、防災支援システム３の動作モードが点検モードであることに気付くことができる。
【００２７】
図５は、トップ画面のさらに別の例を示す図である。同図に示すトップ画面は、有事（注意）に表示されるトップ画面である。このトップ画面は、フロアマップ情報と報告情報に基づいて生成され、タイトルバーＡと、メニューバーＦと、フロアマップ表示領域Ｇと、公設消防隊向け報告表示領域Ｈと、リアルタイム情報表示領域Ｊを有する。これらの表示要素のうち、メニューバーＦは、自衛消防活動を支援するための機能の一覧である。このメニューバーＦは、帯状かつ矩形の形状を有し、このトップ画面において画面左端から右端にかけて水平方向に延びるように配置される。また、防災支援プログラムの実行中は、有事において、常に同じ位置に黒字で表示される。平時や点検中と異なり黒地で表示されるため、利用者は本画面を一見して、防災支援システム３の動作モードが有事モードであることに気付くことができる。このメニューバーＦは、上述した操作項目Ｂ１１〜Ｂ１５に加えて、操作項目Ｂ１６〜Ｂ１７を有する。操作項目Ｂ１６は、公設消防隊到着通知の送信画面の表示を指示するための表示要素である。操作項目Ｂ１７は、誤報の送信画面の表示を指示するための表示要素である。操作項目Ｂ１８は、本部端末８に表示中のすべてのポップアップ画面の非表示を指示するための表示要素である。
【００２８】
フロアマップ表示領域Ｇは、フロアの設備配置図が表示される領域である。このフロアマップ表示領域Ｇは、上述した選択リストＣ１１と、縮尺変更ボタンＤ１１と、表示／非表示切替ボタンＤ１２と、凡例表示ボタンＤ１３と、設備配置図Ｄ１４を有する。設備配置図Ｄ１４には、イベント発生場所が図示される。
【００２９】
公設消防隊向け報告表示領域Ｈは、支援サーバ６に記憶されるタスク報告のうち、公設消防隊に引き継ぐべき所定のタスク報告が一覧表示される領域である。この公設消防隊向け報告表示領域Ｈを参照することで、利用者は公設消防隊に対して円滑に引き継ぎを行うことができる。
【００３０】
リアルタイム情報表示領域Ｊは、支援サーバ６に記憶されるタスク報告、ＳＯＳ報告及び写真報告が一覧表示される領域である。このリアルタイム情報表示領域Ｊは、ページ遷移ボタンＪ１１と、報告リストＪ１２を有する。このリアルタイム情報表示領域Ｊを参照することで、各隊員の作業状況を知ることができる。
以上が、図５に示すトップ画面についての説明である。
【００３１】
以上、図３〜図５を参照して平時、点検時、有事（注意）のトップ画面について説明したが、残りのトップ画面のうち訓練時のトップ画面は、平時のトップ画面においてステータス情報Ｂ２１として「訓練中  平時」の文字が表示される画面である。残りの有事（感知器発報）、有事（火災発生）、有事（手動）のトップ画面は、有事（注意）のトップ画面において、ステータス情報Ｂ２１として、対応するモード名とイベント発生場所が表示される画面である。
以上説明したトップ画面は、イベント発生時等に必要な情報を集約して提示できる。
【００３２】
次に、携帯端末７について説明する。携帯端末７は、スマートフォン、携帯電話機、タブレット端末、ウェアラブル端末等の通信端末である。図６は、この携帯端末７の構成の一例を示すブロック図である。同図に示す携帯端末７は、ＣＰＵ等のプロセッサ７１と、ＤＲＡＭ等の揮発性メモリ７２と、フラッシュメモリ等の不揮発性メモリ７３と、ネットワークカード７４と、液晶ディスプレイ等のディスプレイ７５と、タッチパネル７６と、カメラ７７を備える。これらの構成要素のうち、不揮発性メモリ７３は、支援サーバ６と同様に、支援情報として、ユーザ情報、自衛消防隊体制情報、タスク情報、タスク割当情報、報告情報、画像情報、マニュアル情報、投稿情報を記憶する。これらの情報の内容については上記の通りである。また、不揮発性メモリ７３は、支援サーバ６から受信されるイベント情報の履歴を記憶する。
【００３３】
この携帯端末７は、図６に例示するように、情報更新部７１１、表示制御部７１２、報告部７１３の各機能を備える。これらの機能は、不揮発性メモリ７３に記憶される防災支援プログラムがプロセッサ７１により実行されることにより実現される。
【００３４】
情報更新部７１１は、支援サーバ６から同期通知が受信されるか、または、利用者により支援情報の同期が指示されると、支援サーバ６において更新された支援情報を取得して、不揮発性メモリ７３に記憶する。
【００３５】
表示制御部７１２は、各種画面を生成して、ディスプレイ７５に表示させる。図７は、表示制御部７１２により表示される活動情報画面の一例を示す図である。同図に示す活動情報画面は、自衛消防活動の支援情報を提供するための画面であり、特に平時に表示される画面である。この活動情報画面は、ユーザ情報、自衛消防隊体制情報、タスク情報及びタスク割当情報に基づいて生成され、ステータスバーＫと、利用者情報Ｌと、行動リストＭと、タスクフローＮと、バー画像Ｐと、アイコンタブＱ１〜Ｑ４を有する。
【００３６】
これらの表示要素のうち、ステータスバーＫは、防災支援システム３のステータスを通知するための領域である。より具体的には、支援サーバ６からイベント情報が受信された場合に、受信されたイベント情報により示されるイベント内容と発生場所を通知するための領域である。このステータスバーＫは、帯状かつ矩形の形状を有し、この活動情報画面において画面左端から右端にかけて水平方向に延びるように配置される。また、防災支援プログラムの実行中は、平時において、常に同じ位置に白地で表示される。このステータスバーＫは、メニューボタンＫ１１と更新ボタンＫ１２を有する。メニューボタンＫ１１は、メインメニューの表示を指示するためのボタンである。ここでメインメニューとは、自衛消防活動を支援するための機能を一覧するためのスライドメニューである。このメインメニューにおいて選択可能な機能には、フロアマップ表示機能、本部連絡機能、掲示板機能、隊員情報表示機能、マニュアル表示機能等が含まれる。更新ボタンＫ１２は、表示画面の更新を指示するためのボタンである。
【００３７】
次に、利用者情報Ｌは、利用者の顔画像、担当エリア、班（役割）及び氏名を示す情報である。行動リストＭは、担当エリアと出火階との位置関係（エリア区分）を選択するためのプルダウンメニューである。タスクフローＮは、利用者の所属隊、役割、所定のイベント（感知器発報）、選択されたエリア区分に対応付けられたタスクであって、実行番号の降順に並べられたタスクの集合である。図７に示す活動情報画面には、このタスクフローＮの一部が、スクロール可能なように表示されている。このタスクフローＮを参照することで、利用者は自身のタスクフローを確認することができる。バー画像Ｐは、利用者により選択された機能を判別可能とするために表示される画像である。図７に示す活動情報画面では、アイコンタブＱ１と隣接するように配置されており、活動情報表示機能が選択中であることを示している。アイコンタブＱ１〜Ｑ４は、メインメニューにおいて選択可能な機能のうち、特に使用頻度の高い機能について、その実行を指示するための表示要素である。アイコンタブＱ１〜Ｑ４は選択頻度が高いため、メインメニューにおいて選択される機能にかかわらず、常に同じ位置に表示される。
【００３８】
アイコンタブＱ１〜Ｑ４のうち、アイコンタブＱ１は、活動情報表示機能の実行を指示するための表示要素である。このアイコンタブＱ１が選択されると、表示制御部７１２は、上述した活動情報画面を生成し、ディスプレイ７５に表示させる。アイコンタブＱ２は、隊員情報表示機能の実行を指示するための表示要素である。このアイコンタブＱ２が選択されると、表示制御部７１２は、ユーザ情報、自衛消防隊体制情報及び画像情報に基づいて隊員一覧画面（図示略）を生成し、ディスプレイ７５に表示させる。アイコンタブＱ３は、フロアマップ表示機能の実行を指示するための表示要素である。このアイコンタブＱ３が選択されると、表示制御部７１２は、フロアマップ情報に基づいてフロアマップ画面（図示略）を生成し、ディスプレイ７５に表示させる。アイコンタブＱ４は、本部連絡機能の実行を指示するための表示要素である。このアイコンタブＱ４が選択されると、表示制御部７１２は、防災センタへの報告方法を選択するための画面（図示略）をディスプレイ７５に表示させる。
【００３９】
図８は、隊員情報画面の別の例を示す図である。同図に示す隊員情報画面は、有事（注意）に表示される隊員情報画面である。この活動情報画面は、タスク情報、タスク割当情報及び報告情報に基づいて生成され、上述したステータスバーＫと、タスクフローＲと、活動情報Ｓと、上述したバー画像Ｐ及びアイコンタブＱ１〜Ｑ４を有する。
【００４０】
これらの表示要素のうち、ステータスバーＫは、図７に示す平時の隊員情報画面と異なり、グレー地で表示されている。そのため利用者は、本画面を一見して、防災支援システム３の動作モードが有事（注意）モードであることに気付くことができる。次に、タスクフローＲは、利用者の所属隊、役割、発生中のイベント、担当エリアと出火階との位置関係に対応付けられたタスクであって、実行番号の降順に並べられたタスクの集合である。図８に示す活動情報画面には、このタスクフローＲの一部が、三角形の戻るボタン及び進むボタンを用いて前後に切り替え可能なように表示されている。このタスクフローＲを参照することで、利用者は自身のタスクフローを確認することができる。次に、活動情報Ｓは、各隊員から送信されたタスク報告のリストである。この活動情報Ｓを参照することで、利用者は各隊員の活動状況を確認することができる。
【００４１】
図９は、隊員情報画面のさらに別の例を示す図である。同図に示す隊員情報画面は、有事（感知器発報）に表示される隊員情報画面である。この画面では、図８に示す有事（注意）の隊員情報画面と異なり、ステータスバーＫが黒地で表示されている。そのため利用者は、本画面を一見して、防災支援システム３の動作モードが有事モード（感知器発報以上）であることに気付くことができる。
【００４２】
以上、図７〜図９を参照して平時、有事（注意）、有事（感知器発報）の隊員情報画面について説明したが、残りの隊員情報画面のうち訓練時の隊員情報画面は、平時の隊員情報画面においてステータスバーＫに「訓練中」の文字が表示される画面である。有事（火災発生）、有事（手動）の隊員情報画面は、有事（感知器発報）の隊員情報画面において、ステータスバーＫに、対応するモード名とイベント発生場所が表示される画面である。
以上説明した隊員情報画面は、イベント発生時等に必要な情報を集約して提示できる。
【００４３】
次に、報告部７１３は、各種の報告を、利用者のユーザＩＤとともに支援サーバ６に送信する。具体的には、タスク報告、ＳＯＳ報告又は写真報告を送信する。これらの報告のうち、タスク報告は、図８等に例示されるタスクフローＲの報告ボタンが選択されたことを契機として送信される。その際に送信されるタスク報告には、実行されたタスクのタスクＩＤと、選択された報告ボタンに対応するタスク回答（又はタスク否定回答）が含まれる。ＳＯＳ報告は、所定のＳＯＳメッセージ送信画面（図示略）において、メッセージが入力又は選択され、送信ボタンが選択されることを契機として送信される。写真報告は、所定の撮影画面（図示略）を用いて写真が撮影され、送信ボタンが選択されることを契機として送信される。
以上が、携帯端末７についての説明である。
【００４４】
次に、本部端末８について説明する。本部端末８は、据え置き型ＰＣ等の通信端末である。図１０は、この本部端末８の構成の一例を示すブロック図である。同図に示す本部端末８は、ＣＰＵ等のプロセッサ８１と、ＤＲＡＭ等の揮発性メモリ８２と、ＨＤＤ等の不揮発性メモリ８３と、ネットワークカード８４と、液晶ディスプレイ等のディスプレイ８５と、キーボードやマウス等の入力装置８６を備える。これらの構成要素のうち、プロセッサ８１は、不揮発性メモリ８３に記憶されるプログラムを実行することで、リモート操作部８１１という機能を実現する。
【００４５】
このリモート操作部８１１は、支援サーバ６から各種の画面情報を取得してディスプレイ８５に表示させるとともに、入力装置８６により出力される入力情報を支援サーバ６に送信する表示制御手段である。このリモート操作部８１１により表示される画面には、上述したトップ画面（図３〜図５）が含まれる。
以上が、本部端末８についての説明である。
【００４６】
１−２．動作
次に、防災システム１の動作について、図１１に示すシーケンス図を参照して説明する。
【００４７】
平時において本部端末８の利用者が当該端末を操作し、本部端末８のリモート操作部８１１から支援サーバ６に対してトップ画面が要求されると（ステップＳｔ１）、支援サーバ６の画面生成部６１４はトップ画面（図３参照）を生成して、本部端末８に送信する（ステップＳｔ２）。送信されたトップ画面は、リモート操作部８１１によりディスプレイ８５に表示される（ステップＳｔ３）。このトップ画面を利用して本部端末８の利用者は、例えば、タスク情報の編集を行う。
【００４８】
一方、平時において携帯端末７の利用者が当該端末を操作し、活動情報画面の表示を指示すると、携帯端末７の表示制御部７１２は活動情報画面（図７参照）を生成して、ディスプレイ７５に表示させる（ステップＳｔ４）。この活動情報画面を参照することで携帯端末７の利用者は、例えば、自身のタスクフローを確認する。
【００４９】
その後、建物内で火災が発生し、煙感知器４により測定された煙濃度が継続して５秒以上３％／ｍを超えると、火災受信機５は注意段階に移行したと判定し（ステップＳｔ５）、注意信号を支援サーバ６に対して送信する（ステップＳｔ６）。その後、本部端末８の利用者が当該端末を操作し、本部端末８のリモート操作部８１１から支援サーバ６に対してトップ画面が要求されると（ステップＳｔ７）、支援サーバ６の画面生成部６１４はトップ画面（図５参照）を生成して、本部端末８に送信する（ステップＳｔ８）。送信されたトップ画面は、リモート操作部８１１によりディスプレイ８５に表示される（ステップＳｔ９）。このトップ画面では、メニューバーＦが平時と異なり黒地で表示されるため、本部端末８の利用者は本画面を一見して、防災支援システム３の動作モードが有事モードであることに気付くことができる。
【００５０】
その後、火災が成長し、煙感知器４により測定された煙濃度が継続して４０秒以上１０％／ｍを超えると、火災受信機５は感知器発報段階に移行したと判定し（ステップＳｔ１０）、感知器発報信号を支援サーバ６に対して送信する（ステップＳｔ１１）。送信された感知器発報信号が支援サーバ６により受信されると、支援サーバ６のイベント通知部６１１は感知器発報情報を携帯端末７に対して送信する（ステップＳｔ１２）。送信された感知器発報情報が携帯端末７に受信され、携帯端末７の利用者が活動情報画面の表示を指示すると、携帯端末７の表示制御部７１２は活動情報画面（図９参照）を生成して、ディスプレイ７５に表示させる（ステップＳｔ１３）。この活動情報画面では、ステータスバーＫが平時と異なり黒地で表示されているため、利用者は本画面を一見して、防災支援システム３の動作モードが有事モードであることに気付くことができる。
【００５１】
感知器発報段階に移行後、本部端末８の利用者が当該端末を操作し、本部端末８のリモート操作部８１１から支援サーバ６に対してトップ画面が要求されると（ステップＳｔ１４）、支援サーバ６の画面生成部６１４はトップ画面を生成して、本部端末８に送信する（ステップＳｔ１５）。送信されたトップ画面は、リモート操作部８１１によりディスプレイ８５に表示される（ステップＳｔ１６）。このトップ画面では、メニューバーＦが引き続き黒地で表示されるため、本部端末８の利用者は本画面を一見して、防災支援システム３の動作モードが有事モードであることに気付くことができる。
【００５２】
その後、火災がさらに成長し、例えば、複数の煙感知器４について感知器発報が発生すると、火災受信機５は火災発生段階に移行したと判定し（ステップＳｔ１７）、火災発生信号を支援サーバ６に対して送信する（ステップＳｔ１８）。送信された火災発生信号が支援サーバ６により受信されると、支援サーバ６のイベント通知部６１１は火災発生情報を携帯端末７に対して送信する（ステップＳｔ１９）。送信された火災発生情報が携帯端末７に受信され、携帯端末７の利用者が活動情報画面の表示を指示すると、携帯端末７の表示制御部７１２は活動情報画面を生成して、ディスプレイ７５に表示させる（ステップＳｔ２０）。この活動情報画面では、ステータスバーＫが引き続き黒地で表示されているため、利用者は本画面を一見して、防災支援システム３の動作モードが有事モードであることに気付くことができる。
【００５３】
火災発生段階に移行後、本部端末８の利用者が当該端末を操作し、本部端末８のリモート操作部８１１から支援サーバ６に対してトップ画面が要求されると（ステップＳｔ２１）、支援サーバ６の画面生成部６１４はトップ画面を生成して、本部端末８に送信する（ステップＳｔ２２）。送信されたトップ画面は、リモート操作部８１１によりディスプレイ８５に表示される（ステップＳｔ２３）。このトップ画面では、メニューバーＦが引き続き黒地で表示されるため、本部端末８の利用者は本画面を一見して、防災支援システム３の動作モードが有事モードであることに気付くことができる。
以上が、防災システム１の動作についての説明である。
【００５４】
以上説明した防災システム１によれば、トップ画面のメニューバーＢ又はＦと活動情報画面のステータスバーＫの色が、平時か有事かに応じて変更される。そのため利用者は、これらのバーを一見するだけで、平時か有事かを判別することができる。特に、これらのバーは画面の上部に配置され、画面内においてある程度の面積を占めており、かつその色が変更されるため、利用者の目に付きやすく、利用者にとって平時有事の判別が容易になる。また、平時有事の通知機能をメニューバーとステータスバーに兼備させることで、画面の表示領域を節約することができる。
【００５５】
２．変形例
上記の実施形態は、下記のように変形してもよい。なお、下記の変形例は互いに組み合わせてもよい。
【００５６】
２−１．変形例１
注意と感知器発報の判定基準は、上記の例に限られない。判定基準となる煙濃度と蓄積時間の閾値は、煙感知器４の設置状況に応じて適宜設定されてよい。ただし、注意の閾値は、感知器発報の閾値よりも低いものとする。
【００５７】
２−２．変形例２
自動火災報知設備２を構成する感知器の種類は、煙感知器に限られない。煙感知器に代えて、熱感知器や炎感知器が採用されてもよい。
【００５８】
２−３．変形例３
メニューバーＢ又はＦとステータスバーＫの形状は、必ずしも矩形に限られず、他の形状であってもよい。例えば、台形や長楕円状の形状であってもよい。
【００５９】
メニューバーＢ又はＦとステータスバーＫは、必ずしも画面左端から右端にかけて配置される必要はなく、その端部が画面の端まで到達していなくてもよい。また、メニューバーＢ又はＦとステータスバーＫは、必ずしも水平方向に延びるように配置される必要はなく、上下方向に配置されてもよい。
【００６０】
メニューバーＢ又はＦとステータスバーＫの色は、必ずしも白、グレー、黒に限られず、他の色で表示されてもよい。例えば、平時のメニューバーＢとステータスバーＫは、白地に代えて、安全を表す緑地で表示されてもよく、有事（注意）のステータスバーＫは、グレー地に代えて、注意を表す黄地で表示されてもよく、有事のメニューバーＦと有事（注意以外）のステータスバーＫは、黒字に代えて、危険を表す赤地で表示されてもよい。または、色に代えて、明滅の有無により、平時有事の違いを表現してもよい。
【００６１】
２−４．変形例４
本部端末８に表示されるトップ画面において、メニューバーＢ又はＦに代えてタイトルバーＡの色を変更することで、平時か有事かを判別可能にしてもよい。
【００６２】
２−５．変形例５
上記の防災システム１の動作において、支援サーバ６が火災受信機５から注意信号を受信したときに、支援サーバ６に、携帯端末７に対して注意情報を送信させるようにしてもよい。その場合、注意情報を受信した携帯端末７は、利用者により活動情報画面の表示が指示されると、活動情報画面（図８参照）を生成して、ディスプレイ７５に表示させる。この活動情報画面では、ステータスバーＫが平時と異なりグレー地で表示されるため、利用者は本画面を一見して、防災支援システム３の動作モードが有事（注意）モードであることに気付くことができる。
【００６３】
２−６．変形例６
支援サーバ６は、防災支援システム３の動作モードが点検モードに変更されたときに、動作モードの変更を通知するイベント情報を携帯端末７に送信してもよい。その場合、イベント情報を受信した携帯端末７は、利用者により隊員情報画面の表示が指示されると、隊員情報画面を生成して、ディスプレイ７５に表示させる。この隊員情報画面は、平時の隊員情報画面（図７参照）においてステータスバーＫに「点検中」の文字が表示される画面である。
【００６４】
２−７．変形例７
支援サーバ６が備える機能を、火災受信機５又は総合操作盤に備えさせてもよい。すなわち、火災受信機５又は総合操作盤に支援情報を記憶させ、携帯端末７との間でデータ同期を行わせてもよい。また、イベント情報を携帯端末７に送信させ、携帯端末７から各種報告を受け付けさせ、本部端末８に画面を送信させるようにしてもよい。
【符号の説明】
【００６５】
１…防災システム、２…自動火災報知設備、３…防災支援システム、４…煙感知器、５…火災受信機、６…支援サーバ、７…携帯端末、８…本部端末、９…通信回線、６１…プロセッサ、６２…揮発性メモリ、６３…不揮発性メモリ、６４…ネットワークカード、７１…プロセッサ、７２…揮発性メモリ、７３…不揮発性メモリ、７４…ネットワークカード、７５…ディスプレイ、７６…タッチパネル、７７…カメラ、８１…プロセッサ、８２…揮発性メモリ、８３…不揮発性メモリ、８４…ネットワークカード、８５…ディスプレイ、８６…入力装置、６１１…イベント通知部、６１２…報告受付部、６１３…同期部、６１４…画面生成部、７１１…情報更新部、７１２…表示制御部、７１３…報告部、８１１…リモート操作部、Ａ…タイトルバー、Ｂ…メニューバー、Ｂ１１〜Ｂ１５…操作項目、Ｂ２１…ステータス情報、Ｃ…選択リスト表示領域、Ｃ１１…選択リスト、Ｄ…フロアマップ表示領域、Ｄ１１…縮尺変更ボタン、Ｄ１２…表示／非表示切替ボタン、Ｄ１３…凡例表示ボタン、Ｄ１４…設備配置図、Ｅ…掲示板表示領域、Ｅ１１…ページ遷移ボタン、Ｅ１２…投稿情報編集ボタン、Ｅ１３…投稿情報リスト、Ｆ…メニューバー、Ｇ…フロアマップ表示領域、Ｈ…公設消防隊向け報告表示領域、Ｊ…リアルタイム情報表示領域、Ｊ１１…ページ遷移ボタン、Ｊ１２…報告リスト、Ｋ…ステータスバー、Ｌ…利用者情報、Ｍ…行動リスト、Ｎ…タスクフロー、Ｐ…バー画像、Ｑ１〜Ｑ４…アイコンタブ、Ｒ…タスクフロー、Ｓ…活動情報
【図１】
2020119141.tif 000003
【図２】
2020119141.tif 000004
【図３】
2020119141.tif 000005
【図４】
2020119141.tif 000006
【図５】
2020119141.tif 000007
【図６】
2020119141.tif 000008
【図７】
2020119141.tif 000009
【図８】
2020119141.tif 000010
【図９】
2020119141.tif 000011
【図１０】
2020119141.tif 000012
【図１１】
2020119141.tif 000013